(57)【特許請求の範囲】
【請求項１】
入力電圧を、直流電球に用いられる動作電圧に変換することに用いられる変換器と、
一次巻線、及び前記直流電球に直列接続される二次巻線を有する変圧器と、
前記変圧器の前記一次巻線に電気的に接続され、点灯段階において前記変圧器を駆動して、前記変圧器の前記二次巻線に高周波電圧を出力させて、前記直流電球を点灯することに用いられる駆動回路と
を備え、
前記点灯段階において前記変圧器は不飽和状態で動作し、前記直流電球が点灯された後、前記駆動回路は動作を停止し、前記変圧器は飽和状態で動作し、
前記変換器は、一端が前記変圧器の前記二次巻線に電気的に接続され、他端が前記直流電球に電気的に接続され、
前記駆動回路は、
それぞれ前記変圧器の前記一次巻線の両端に接続され、前記変圧器と共に共振回路を構成するインダクタ及びコンデンサと、
前記共振回路に電気的に接続されるハーフブリッジ回路と
を含み、
前記ハーフブリッジ回路は、
電圧源に接続される第１スイッチと、
前記第１スイッチと互いにタンデム接続され、且つ接地する第２スイッチと、
前記第１スイッチ及び前記第２スイッチのそれぞれの制御端部に電気的に接続されることで、前記第１スイッチ及び前記第２スイッチを制御して交替で動作させる駆動器と
を有し、
前記駆動器は、第１パルスを前記第１スイッチに出力することと、パルス幅が第１パルスと同じ又は異なる第２パルスを前記第２スイッチに出力することを交替でする、点灯システム。
【請求項２】
前記第１スイッチ及び前記第２スイッチは、動作周波数が１０〜５００ｋＨｚである請求項１に記載の点灯システム。
【請求項３】
前記電圧源は、前記変換器の入力電圧、前記変換器の出力電圧、又は外部電圧源である請求項１に記載の点灯システム。
【請求項４】
入力電圧を、直流電球に用いられる動作電圧に変換することに用いられる変換器と、
一次巻線、及び前記直流電球に直列接続される二次巻線を有する変圧器と、
前記変圧器の前記一次巻線に電気的に接続され、点灯段階において前記変圧器を駆動して、前記変圧器の前記二次巻線に高周波電圧を出力させて、前記直流電球を点灯することに用いられる駆動回路と
を備え、
前記点灯段階において前記変圧器は不飽和状態で動作し、前記直流電球が点灯された後、前記駆動回路は動作を停止し、前記変圧器は飽和状態で動作し、
前記変換器は、一端が前記変圧器の前記二次巻線に電気的に接続され、他端が前記直流電球に電気的に接続され、
前記駆動回路は、
前記変圧器の一次巻線及び電圧源に電気的に接続され、寄生コンデンサを有する前記変圧器と共に共振回路を構成するインダクタと、
前記共振回路に電気的に接続されるスイッチデバイスと、
前記スイッチデバイスのオン／オフを制御することに用いられる駆動器と
を含む、点灯システム。
【請求項５】
前記駆動回路は、前記スイッチデバイス及び前記共振回路に電気的に接続され、前記スイッチデバイスがオフである場合、前記スイッチデバイスに加えた電圧を制限することに用いられる吸収回路を更に含む請求項４に記載の点灯システム。
【請求項６】
前記駆動回路は、前記スイッチデバイスに電気的に接続され、前記スイッチデバイスを流れる電流を制限することに用いられる限流回路を更に含む請求項４に記載の点灯システム。
【請求項７】
前記電圧源は、変換器の入力電圧、変換器の出力電圧、又は外部電圧源である請求項４に記載の点灯システム。
【請求項８】
前記スイッチデバイスは、動作周波数が、１０〜５００ｋＨｚであり、デューティ比が、０．２％〜１０％である請求項４に記載の点灯システム。
【請求項９】
入力電圧を、変圧器の二次巻線に直列接続される直流電球に用いられる動作電圧に変換するステップ（ａ）と、
点灯段階において前記変圧器を駆動して、前記変圧器の二次巻線に高周波電圧を出力させて、前記直流電球を点灯するステップ（ｂ）と
を具備し、
前記点灯段階において前記変圧器は不飽和状態で動作し、前記直流電球が点灯された後、前記変圧器への駆動を停止し、前記変圧器は飽和状態で動作し、
ハーフブリッジ回路は、インダクタ、コンデンサ、及び前記変圧器から構成される共振回路に電気的に接続され、互いにタンデム接続される第１スイッチ、及び第２スイッチを有し、
ステップ（ｂ）は、
第１パルスを前記第１スイッチに出力することと、パルス幅が第１パルスと同じ又は異なる第２パルスを前記第２スイッチに出力することを交替でして、前記第１スイッチ、及び前記第２スイッチを交替で動作させ、前記変圧器の二次巻線に前記高周波電圧を出力させるステップを備える、点灯方法。
【請求項１０】
入力電圧を、変圧器の二次巻線に直列接続される直流電球に用いられる動作電圧に変換するステップ（ａ）と、
点灯段階において前記変圧器を駆動して、前記変圧器の二次巻線に高周波電圧を出力させて、前記直流電球を点灯するステップ（ｂ）と
を具備し、
前記点灯段階において前記変圧器は不飽和状態で動作し、前記直流電球が点灯された後、前記変圧器への駆動を停止し、前記変圧器は飽和状態で動作し、
スイッチデバイスは、寄生コンデンサを有する前記変圧器とインダクタから構成される共振回路に電気的に接続され、
ステップ（ｂ）は、
前記スイッチデバイスのオン／オフを制御して、前記変圧器の二次巻線に前記高周波電圧を出力させるステップと、
前記スイッチデバイス及び前記共振回路に電気的に接続される吸収回路を提供し、前記吸収回路によって、前記スイッチデバイスがオフである場合における前記スイッチデバイスに加えた電圧を制限するステップと、
前記スイッチデバイスに電気的に接続される限流回路を提供し、前記限流回路によって、前記スイッチデバイスを流れる電流を制限するステップと
を備える、点灯方法。
【発明の詳細な説明】
【技術分野】
【０００１】
本発明は、電子技術に関し、特に、点灯システム及び点灯方法に関する。
【背景技術】
【０００２】
従来のガス放電灯システム１００は、図１に示すような回路構造を採用する場合が多い。図１に示すように、変換器１１０は、入力電圧Ｖｉｎを直流ＤＣ  ＨＩＤ灯に好適に用いられる動作電圧に変換する。高圧発生装置１２０は、ランプのブレークダウンに必要な直流高圧を発生することに用いられる。駆動回路１２１は、変圧器Ｔ１が高圧パルスを出力するように駆動し、ダイオードＤ９及びコンデンサＣ９によって電球１３０の両端に例えば１．５ｋＶの直流電圧を加える。高圧ダイオードＤ２は、直流電圧による変換器１１０におけるその他のデバイスの損傷を防止することに用いられる。図２に示すようなランプ電圧及びランプ電流の波形を参照し、一般的に、高圧ダイオードＤ２の順電圧降下が大きく、点灯前、電流が流れないため損失はないが、点灯後、ランプ電流は、ダイオードＤ２を流れて大きい定常損失を生じ、安定器（Ｂａｌｌａｓｔ）の効率が低下する。
【０００３】
上記から分かれるように、前記従来の点灯機構では、不便と欠点が明らかに存在し、さらなる改善が望まれている。前記問題の１つを解決するために、関連分野において、誰でも労を惜しまずに解決方法を探しているが、長い間に適当な方式がずっと開発されなかった。従って、システムの効率を如何に更に向上させることは、現在、重要な検討課題の１つとなり、今の関連分野が改善しようとする目標ともなる。
【発明の概要】
【発明が解決しようとする課題】
【０００４】
システムの効率を向上可能にするために、本発明の一態様は、新規な点灯システム及び点灯方法を提供することである。
【課題を解決するための手段】
【０００５】
本発明の１実施例によると、点灯システムは、変換器と、変圧器と、駆動回路と、備える。変換器は、入力電圧を、ガス放電灯に好適に用いられる動作電圧に変換することに用いられる。変圧器は、一次巻線と、ガス放電灯に直列接続される二次巻線と、を有する。駆動回路は、変圧器の一次巻線に電気的に接続され、点灯段階において変圧器を駆動して、変圧器の二次巻線に高周波電圧を出力させて、ガス放電灯を点灯することに用いられる。
【０００６】
ガス放電灯は、直流電球である。
【０００７】
点灯段階において、変圧器は、不飽和状態で動作する。
【０００８】
ガス放電灯が点灯された後、駆動回路は、動作を停止し、変圧器は、飽和状態で動作する。
【０００９】
駆動回路は、インダクタと、コンデンサと、ハーフブリッジ回路と、を含むことができる。インダクタ及びコンデンサは、それぞれ変圧器の一次巻線の両端に接続され、変圧器と共に共振回路を構成する。ハーフブリッジ回路は、共振回路に電気的に接続される。
【００１０】
なお、ハーフブリッジ回路は、第１スイッチと、第２スイッチと、駆動器と、を有する。第１スイッチと第２スイッチは、互いにタンデム接続され、第１スイッチは、電圧源に接続され、第２スイッチは、接地する。駆動器は、第１、第２スイッチのそれぞれの制御端部に電気的に接続されることで、第１、第２スイッチを、制御して交替で動作させる。
【００１１】
第１、第２スイッチは、動作周波数が１０〜５００ｋＨｚであってよい。
【００１２】
電圧源は、変換器の入力電圧、変換器の出力電圧、又は外部電圧源であってよい。
【００１３】
駆動器は、第１パルスを第１スイッチに出力することと、パルス幅が第１パルスと同じである第２パルスを第２スイッチに出力することを交替ですることができる。又は、駆動器は、第１パルスを第１スイッチに出力することと、パルス幅が第１パルスと異なる第２パルスを第２スイッチに出力することを交替ですることができる。
【００１４】
又は、駆動回路は、インダクタと、スイッチデバイスと、駆動器と、を含むことができる。インダクタは、変圧器の一次巻線及び電圧源に電気的に接続され、寄生コンデンサを有する変圧器と共に共振回路を構成する。スイッチデバイスは、共振回路に電気的に接続される。駆動器は、スイッチデバイスのオン／オフを制御することに用いられる。
【００１５】
なお、前記駆動回路は、吸収回路を更に含む。吸収回路は、スイッチデバイス及び共振回路に電気的に接続され、スイッチデバイスがオフである場合、スイッチデバイスに加えた電圧を制限することに用いられる。
【００１６】
なお、前記駆動回路は、限流回路を更に含む。限流回路は、スイッチデバイスに電気的に接続され、スイッチデバイスを流れる電流を制限することに用いられる。
【００１７】
スイッチデバイスは、動作周波数が、１０〜５００ｋＨｚであり、デューティ比が、０．２％〜１０％である。
【００１８】
又はなお、スイッチデバイスは、作周波数が、２００ｋＨｚであり、デューティ比が、３％である。
【００１９】
また、変換器は、ＤＣ‐ＤＣ変換器又はＡＣ‐ＤＣ変換器である。
【００２０】
本発明の別の実施例によると、点灯方法は、入力電圧を、変圧器の二次巻線に直列接続されるガス放電灯に好適に用いられる動作電圧に変換するステップ（ａ）と、点灯段階において変圧器を駆動して、変圧器の二次巻線に高周波電圧を出力させて、ガス放電灯を点灯するステップ（ｂ）と、を具備する。
【００２１】
ガス放電灯は、直流電球である。
【００２２】
点灯段階において、変圧器は、不飽和状態で動作する。
【００２３】
前記点灯方法は、ガス放電灯が点灯された後、変圧器への駆動を停止し、変圧器が飽和状態で動作するステップを更に具備する。
【００２４】
点灯方法において、インダクタ、コンデンサ、変圧器は、共振回路を構成する。ハーフブリッジ回路は、互いにタンデム接続される第１、第２スイッチを有し、共振回路に電気的に接続される。前記ステップ（ｂ）は、第１、第２スイッチを交替で動作させるように制御して、変圧器の二次巻線に高周波電圧を出力させるステップを備える。
【００２５】
第１、第２スイッチは、動作周波数が１０〜５００ｋＨｚである。
【００２６】
前記第１、第２スイッチが交替で動作するように制御するステップは、第１パルスを第１スイッチに出力することと、パルス幅が第１パルスと同じである第２パルスを第２スイッチに出力することを交替でするステップ備える。
【００２７】
又は、前記第１、第２スイッチが交替で動作するように制御するステップは、第１パルスを第１スイッチに出力することと、パルス幅が第１パルスと異なる第２パルスを第２スイッチに出力することを替でするステップ備える。
【００２８】
又は、点灯方法において、寄生コンデンサを有する変圧器とインダクタは、共振回路を構成し、スイッチデバイスは、共振回路に電気的に接続される。ステップ（ｂ）は、スイッチデバイスのオン／オフを制御して、変圧器の二次巻線に高周波電圧を出力させるステップを備える。
【００２９】
なお、前記点灯方法は、スイッチデバイス及び共振回路に電気的に接続される吸収回路を提供し、前記吸収回路によって、スイッチデバイスがオフである場合の、スイッチデバイスに加えた電圧を制限するステップを更に具備する。
【００３０】
なお、前記点灯方法は、スイッチデバイスに電気的に接続される限流回路を提供し、前記限流回路によって、スイッチデバイスを流れる電流を制限するステップを更に備える。
【００３１】
スイッチデバイスは、動作周波数が、１０〜５００ｋＨｚであってよく、デューティ比が、０．２％〜１０％であってよい。
【００３２】
又はなお、スイッチデバイスは、動作周波数が、２００ｋＨｚであり、デューティ比が、３％である。
【発明の効果】
【００３３】
以上をまとめると、本発明の技術提案は、先行技術に比べ、明らかなメリット及び有益な効果を有する。変圧器巻線を、ガス放電灯（例えば、直流電球）に直列接続することで、先行技術における高圧ダイオードＤ２を取り除き得るため、高圧ダイオードＤ２による損失を取り除いた。
【００３４】
以下、実施形態によって前記説明を詳しく述べ、本発明の技術提案に対して更なる解釈を提供する。
【図面の簡単な説明】
【００３５】
下記の図面の説明は、本発明の前記または他の目的、特徴、メリット、実施例をよりわかりやすくするためのものである。
【００３６】
【図１】従来のガス放電灯システムの回路構造図である。
【図２】図１に示したガス放電灯システムのランプ電圧及びランプ電流の波形を示す図である。
【図３】本発明の１実施例による点灯システムの回路構造図である。
【図４】本発明の１実施例による点灯システムの回路構造図である。
【図５】本発明の他の実施例による点灯システムの回路構造図である。
【図６】図５に示した点灯システムの対称的な駆動方式での波形を示す図である。
【図７】図５に示した点灯システムの非対称的な駆動方式での波形を示す図である。
【図８】本発明のまた他の実施例による点灯システムの回路構造図である。
【図９】図８に示した駆動器の出力信号の波形図である。
【図１０】図８に示した点灯システムのランプ電圧の波形を示す図である。
【発明を実施するための形態】
【００３７】
本発明の記述をより詳細化して、充実させるためには、添付の図面及び記載する各種実施例を参照することができる。図中同じ符号は同一又は類似した素子を表している。一方、本発明への不要な制限を避けるために、公知されている素子及び手順は実施例中には記載しない。
【００３８】
発明を実施するための形態及び特許請求の範囲において、「電気的に接続」に関わる記述は、一般的に、素子がその他の電子素子を介して別の素子に間接接続され、又は、素子がその他の電子素子を介さずに別の素子に直接接続されることを指すことができる。
【００３９】
発明を実施するための形態及び特許請求の範囲において、文中で冠詞に対して特に限定していない限り、「一」及び「当該」は、一般的に、１つまたは複数を指す。
【００４０】
本文において使用されている「約」、「ほぼ」又は「おおよそ」は、その本質が変化しないような、わずかに変化可能な如何なる数量を修飾するためのものである。実施形態において、特に説明しない限り、「約」、「ほぼ」又は「おおよそ」の修飾した数値の誤差範囲として、一般的に、２０％以内、好ましくは１０％以内、より好ましくは５％以内が許容される。
【００４１】
本発明により提出される新規な技術解決策は、システムの効率の向上を可能にするためのものである。本発明の一技術態様は、図３の典型的な回路構造図に示すような点灯システム２００であり、それは、安定器に好適に用いられ、又は関連技術部分に広く運用されることができる。
【００４２】
点灯システム２００は、変換器２１０と、変圧器Ｔ１及び駆動回路２２１を含む高圧発生装置２２０と、ガス放電灯２３０と、を備える。構造上、変圧器Ｔ１は、駆動回路２２１に電気的に接続される一次巻線Ｔ１‐１と、ガス放電灯２３０に直列接続される二次巻線Ｔ１‐２（即ち、セカンダリワインディング）と、を有する。下記の説明において、本願は、ガス放電灯の例として、直流電球を用いる。変換器２１０は、ＤＣ‐ＤＣ変換器又はＡＣ‐ＤＣ変換器であってよい。例えば、Ｂｕｃｋ、Ｆｌｙｂａｃｋ、Ｆｏｒｗａｒｄ、Ｓｐｅｉｃ、Ｃｕｋ等のＤＣ‐ＤＣ変換器の場合、直流入力電圧Ｖｉｎを直流電球２３０に好適に用いられる動作電圧に変換し、ＡＣ‐ＤＣ変換器の場合、交流入力電圧Ｖｉｎを直流電球２３０に好適に用いられる動作電圧に変換する。注意すべきなのは、高圧発生装置２２０における変圧器Ｔ１の巻線を直流電球２３０に直列接続させることで、先行技術における高圧ダイオードＤ２を取り除き、そして、高圧ダイオードＤ２による損失を取り除いて、システムの効率を大幅に向上させる。
【００４３】
図４において、変換器２１０は、コンデンサＣ１、インダクタＬ１、抵抗器Ｒｃｓ、フライホイールダイオードＤ１、制御スイッチＱ１、を含む降圧型変換回路（即ち、Ｂｕｃｋ回路）である。
【００４４】
構造上、コンデンサＣ１は、一端が変圧器Ｔ１の二次巻線Ｔ１‐２に電気的に接続され、他端が直流電球２３０に電気的に接続される。インダクタＬ１は、変圧器Ｔ１の二次巻線Ｔ１‐２に電気的に接続される。抵抗器Ｒｃｓは、直流電球２３０に電気的に接続される。フライホイールダイオードＤ１は、陽極が抵抗器Ｒｃｓに電気的に接続され、陰極がインダクタＬ１に電気的に接続される。制御スイッチＱ１は、一端がフライホイールダイオードＤ１の陰極に電気的に接続され、他端が入力電圧Ｖｉｎに電気的に接続される。図４において、制御スイッチＱ１は、ＭＯＳトランジスタであってよい。制御器は、ＭＯＳトランジスタのオン／オフを制御することができる。
【００４５】
点灯システム２００の作動中、変換器２１０は、入力電圧Ｖｉｎを、直流電球２３０に好適に用いられる動作電圧に変換することに用いられる。駆動回路２２１は、点灯段階において、変圧器Ｔ１を駆動して、変圧器Ｔ１の二次巻線Ｔ１‐２に高周波電圧を出力させることに用いられる。コンデンサＣ１、変圧器Ｔ１の二次巻線Ｔ１‐２及び直流電球２３０により構成されるループから見ると、高周波電圧は、コンデンサＣ１での電圧降下が小さく、電圧の大部分は、直流電球２３０に加えられて、直流電球２３０を点灯する。
【００４６】
直流電球２３０が点灯された後、駆動回路２２１は、動作を停止し、ランプ電流が、二次巻線Ｔ１‐２を流れる。磁気デバイスの設計式Ｌ*Ｉ=Ｎ*Ｂ*Ａｅから見ると、灯が正常に点灯された後、変圧器Ｔ１を不飽和状態にする仕様として設計する場合、数多くの巻数Ｎを選択しなければならなく、このように、巻線損失が増加し、効率が低下する。従って、本実施例において、変圧器Ｔ１を設計する時、点灯段階の場合、変圧器Ｔ１が不飽和状態で動作する時に高圧を出力できるという要求に応じて、変圧器の巻線の巻数を選択し、定常動作をする場合、変圧器Ｔ１が飽和状態で動作するが許容されることで、巻線Ｔ１‐２として、少ない巻数を選択することができる。また、二次巻線Ｔ１‐２を流れる電流が直流電流であるため、変圧器Ｔ１が飽和状態で動作する場合にも、その損失が依然として低い。このような設計によれば、少ない巻線Ｔ１‐２を採用できるので、灯が点灯された後の巻線Ｔ１‐２における損失を削減する。例としては、２４０ＷのＨＩＤ電球を点灯する場合、このような設計によれば、先行技術に対して、システムの効率を、少なくとも１．４％向上させることができる。
【００４７】
図５に合わせて、前記駆動回路を更に説明する。ハーフブリッジ回路３１０と共振回路３２０は、高圧発生装置２２０を構成することができる。インダクタＬ２、コンデンサＣ２、変圧器Ｔ１は、共振回路３２０を構成する。共振回路３２０は、ハーフブリッジ回路３１０に電気的に接続される。構造上、インダクタＬ２及びコンデンサＣ２は、それぞれ変圧器Ｔ１の一次巻線Ｔ１‐１の両端に接続される。インダクタＬ２は、外部インダクタンスや変圧器Ｔ１の漏れインダクタ、又はその両方の和であってよい。
【００４８】
ハーフブリッジ回路３１０は、第１スイッチＱ２と、第２スイッチＱ３と、駆動器３１１と、を有する。第１スイッチＱ２と第２スイッチＱ３は、互いにタンデム接続され、第１スイッチＱ２は、電圧源Ｖｂｕｓに接続され、第２スイッチＱ３は、接地する。駆動器３１１は、第１スイッチＱ２及び第２スイッチＱ３のそれぞれの制御端部に電気的に接続される。図５において、第１スイッチＱ２及び第２スイッチＱ３は、それぞれ内接ダイオードを有してよい２つのＭＯＳトランジスタである。
【００４９】
電圧源Ｖｂｕｓは、入力電圧ＶｉｎやコンデンサＣ１における電圧、又は別の電圧源であってよい。
【００５０】
作動上、第１スイッチＱ２及び第２スイッチＱ３は、駆動器３１１に制御されて、交替で動作する。通常、動作周波数は、１０〜５００ｋＨｚに設定されて、共振回路３２０に共振を生じさせ、点灯電圧として、変圧器Ｔ１のセカンダリワインディングＴ１‐２に高周波電圧を出力させる。
【００５１】
図６及び図７は、図５に示した高圧発生装置の動作波形の実施例である。図６に示すように、第１スイッチＱ２及び第２スイッチＱ３は、対称的に駆動され、駆動器３１１は、第１パルス６１０を第１スイッチＱ２に出力することと、パルス幅が第１パルス６１０と同じである第２パルス６２０を第２スイッチＱ３に出力することを交替ですることができるので、対応する直流電球における電圧は、対称的な高周波点灯電圧である。又は、図７に示すように、第１スイッチＱ２及び第２スイッチＱ３が非対称的に駆動されることもでき、駆動器３１１は、第１パルス７１０を第１スイッチＱ２に出力することと、パルス幅が第１パルス６１０と異なる第２パルス７２０を第２スイッチＱ３に出力することを交替ですることができるので、対応する直流電球における電圧は、非対称的な高周波点灯電圧である。
【００５２】
又は、図８に示すように、駆動回路は、インダクタＬ２と、スイッチデバイスＱ５と、駆動器５１０と、を含むことができる。構造上、インダクタＬ２は、変圧器Ｔ１の一次巻線Ｔ１‐１及び電圧源Ｖｂｕｓに電気的に接続される。変圧器Ｔ１は、寄生コンデンサを有する。駆動器５１０は、スイッチデバイスＱ５のオン／オフを制御することに用いられる。図８において、スイッチデバイスＱ５は、ＭＯＳトランジスタであってよい。
【００５３】
作動の場合、図９に示すように、駆動器５１０は、高周波駆動信号を出力し、駆動スイッチデバイスＱ５をオンにした後、インダクタＬ２と変圧器Ｔ１（その寄生コンデンサを含む）は、共振回路５２０を構成して、セカンダリワインディングＴ１‐２で点灯電圧を出力し、通常、スイッチデバイスＱ５は、動作周波数が、１０〜５００ｋＨｚに設定され、デューティ比が、０．２％〜１０％である。駆動器の性能に合わせて、スイッチデバイスＱ５が動作周波数２００ｋＨｚ、デューティ比３％で駆動されることが好ましく、低コストの駆動チップを選択することができるだけでなく、変圧器Ｔ１の体積を小さくすることもできる。インダクタＬ２は、外部インダクタや変圧器Ｔ１の寄生インダクタ、又はその両方の和であってよい。対応するランプ電圧波形は、図１０に示す通りである。
【００５４】
一方、電圧源Ｖｂｕｓは、入力電圧ＶｉｎやコンデンサＣ１における電圧、又は別の電圧源であってよい。当業者であれば、当時の必要に応じて、柔軟的に選択することができる。
【００５５】
なお、前記駆動回路は、吸収回路５３０と、限流回路５４０と、を更に含む。構造上、吸収回路５３０は、スイッチデバイスＱ５及び共振回路５２０に電気的に接続され、ダイオードＤ、コンデンサＣ、及び抵抗器Ｒを有する。限流回路５４０は、スイッチデバイスＱ５に電気的に接続され、バイポーラ接合トランジスタ（ＢＪＴ）、及び抵抗器Ｒ１、Ｒ２を有する。
【００５６】
作動中、吸収回路５３０は、スイッチデバイスＱ５がオフである場合の、スイッチデバイスＱ５に加えた電圧を制限することに用いられる。限流回路５４０は、スイッチデバイスＱ５を流れる電流を制限することで、スイッチデバイスＱ５の損壊を防止することに用いられる。
【００５７】
以上をまとめると、本発明の別の技術態様は、入力電圧Ｖｉｎを、変圧器Ｔ１の二次巻線Ｔ１‐２に直列接続される直流電球２３０に好適に用いられる動作電圧に変換するステップ（ａ）と、点灯段階において変圧器Ｔ１を駆動して、変圧器Ｔ１の二次巻線Ｔ１‐２に高周波電圧を出力させて、直流電球２３０を点灯するステップ（ｂ）と、を具備する点灯方法である。
【００５８】
点灯段階において、変圧器Ｔ１は、不飽和状態で動作する。
【００５９】
前記点灯方法は、直流電球２３０が点灯された後、変圧器Ｔ１への駆動を停止し、変圧器Ｔ１が飽和状態で動作させるステップを更に具備する。
【００６０】
点灯方法において、図５に示すように、インダクタＬ２、コンデンサＣ２、及び変圧器Ｔ１は、共振回路３２０を構成する。ハーフブリッジ回路３１０は、互いにタンデム接続される第１スイッチＱ２と第２スイッチＱ３を有し、共振回路３２０に電気的に接続される。前記ステップ（ｂ）は、第１スイッチＱ２及び第２スイッチＱ３を交替で動作させるように制御して、変圧器Ｔ１の二次巻線Ｔ１‐２に高周波電圧を点灯電圧として出力させるステップを備える。
【００６１】
前記制御第１スイッチＱ２及び第２スイッチＱ３が交替で動作するステップは、第１パルス６１０を第１スイッチＱ２に出力することと、パルス幅が第１パルス６１０と同じである第２パルス６２０を第２スイッチＱ３に出力することを交替でするステップを備える。この時、直流電球２３０のランプ電圧は、図６に示す通りである。
【００６２】
又は、前記制御第１スイッチＱ２及び第２スイッチＱ３が交替で動作するステップは、第１パルス７１０を第１スイッチＱ２に出力することと、パルス幅が第１パルス６１０と異なる第２パルス７２０を第２スイッチＱ３に出力することを交替でするステップを備える。この時、直流電球２３０のランプ電圧は、図７に示す通りである。
【００６３】
又は、点灯方法において、図８に示すように、寄生コンデンサを有する変圧器Ｔ１とインダクタＬ２は、共振回路５２０を構成し、スイッチデバイスＱ５は、共振回路５２０に電気的に接続される。ステップ（ｂ）は、スイッチデバイスＱ５のオン／オフを制御して、変圧器Ｔ１の二次巻線Ｔ１‐２に高周波電圧を点灯電圧として出力させるステップを備える。
【００６４】
なお、前記点灯方法は、スイッチデバイスＱ５及び共振回路５２０に電気的に接続される吸収回路５３０を提供し、前記吸収回路５３０によって、スイッチデバイスＱ５がオフである場合におけるスイッチデバイスＱ５に加えた電圧を制限するステップを更に具備する。又はなお、前記点灯方法は、スイッチデバイスＱ５に電気的に接続される限流回路５４０を提供し、前記限流回路５４０によって、スイッチデバイスＱ５を流れる電流制限することで、スイッチデバイスＱ５の損壊を防止するステップを更に具備する。
【００６５】
前記により言及されたステップは、特にその順序を明記してあるものを除き、実際のニーズに応じて前後順序を調整でき、場合によっては同時又は一部を同時に実行することができるということを理解されたい。前記ステップを実施するハードウェア装置については、前記実施例で既に具体的に開示されたため、ここでは繰り返して説明しない。
【００６６】
本発明では実施形態を前述の通り開示したが、これらは本発明に限定するものではなく、当業者であれば、本発明の精神と領域を脱しない範囲内で各種の変更や修正を加えることができる。従って、本発明の保護範囲は、下記特許請求の範囲で指定した内容を基準とする。
【符号の説明】
【００６７】
１００  ガス放電灯システム
１１０、２１０  変換器
１２０、２２０  高圧発生装置
１２１、２２１  駆動回路
１３０  電球
２３０  直流電球（ガス放電灯）
２００  点灯システム
３１０  ハーフブリッジ回路
３１１、５１０  駆動器
３２０、５２０  共振回路
５３０  吸収回路
５４０  限流回路
６１０、７１０  第１パルス
６２０、７２０  第２パルス
Ｃ、Ｃ１、Ｃ２、Ｃ９  コンデンサ
Ｄ、Ｄ９  ダイオード
Ｄ１  フライホイールダイオード
Ｄ２  高圧ダイオード
Ｌ１、Ｌ２  インダクタ
Ｑ１  制御スイッチ
Ｑ２  第１スイッチ
Ｑ３  第２スイッチ
Ｑ５  スイッチデバイス
Ｒ、Ｒｃｓ  抵抗器
Ｔ１  変圧器
Ｔ１‐１  一次巻線
Ｔ１‐２  二次巻線（セカンダリワインディング）
Ｖｉｎ  入力電圧
Ｖｂｕｓ  電圧源
【図１】
0005550194.tif 000002
【図２】
0005550194.tif 000003
【図３】
0005550194.tif 000004
【図４】
0005550194.tif 000005
【図５】
0005550194.tif 000006
【図６】
0005550194.tif 000007
【図７】
0005550194.tif 000008
【図８】
0005550194.tif 000009
【図９】
0005550194.tif 000010
【図１０】
0005550194.tif 000011